(57)【要約】【課題】気密性の高い構造物を容易に組み立て得るブロックを提供する。【解決手段】基体部１１と、突出部２１と、突出部３１とが一体化されて構成され、基体部１１の左下側面１１ｃ、右下側面１１ｄ、左上側面１１ｅおよび右上側面１１ｆが斜面にそれぞれ形成され、突出部２１は、左斜面２１ａ〜２１ｃによってその下面が構成されると共に、左斜面２１ｄ〜２１ｆよってその上面が構成され、かつ左斜面２１ｇ，２１ｈによってその左側面が構成され、突出部３１は、右斜面３１ａ〜３１ｃによってその下面が構成されると共に、右斜面３１ｄ〜３１ｆによってその上面が構成され、かつ右斜面３１ｇ，３１ｈによってその右側面が構成され、建設用ブロック１の下部側における各面に嵌合溝がそれぞれ形成され、建設用ブロック１の上部側における各面に嵌合凸部がそれぞれ形成されている。【選択図】図２
2004143923.tif 000002
【特許請求の範囲】
【請求項１】
　互いの一部同士を嵌め合わせた状態で並設することによって構造物を組立て可能なブロックであって、
　その中央部に位置してその上下面がそれぞれ平坦かつ互いに平行となるように形成された基体部と、当該基体部から左方向に突出する第１の突出部と、前記基体部から右方向に突出する第２の突出部とが一体化されて構成され、
　前記基体部は、その左下側面下端部から前記第１の突出部の突出部位までの間、およびその右下側面下端部から前記第２の突出部の突出部位までの間において上方に向かうに従って当該ブロックにおける左右方向の中心縦軸から離間する斜面にそれぞれ形成されると共に、その左上側面上端部から前記第１の突出部の突出部位までの間、およびその右上側面上端部から前記第２の突出部の突出部位までの間において下方に向かうに従って前記中心縦軸から離間する斜面にそれぞれ形成されて構成され、
　前記第１の突出部は、前記基体部における前記左下側面側の前記突出部位から左側に向かうに従って当該ブロックにおける上下方向の中心横軸に接近する斜面に形成された第１の左側斜面と、当該第１の左側斜面の左端部に連接して左側に向かうに従って前記中心横軸から離反する斜面に形成された第２の左側斜面と、当該第２の左側斜面の左端部に連接して左側に向かうに従って前記中心横軸に接近する斜面に形成された第３の左側斜面とによってその下面が構成されると共に、前記基体部における前記左上側面側の前記突出部位から左側に向かうに従って前記中心横軸に接近する斜面に形成された第４の左側斜面と、当該第４の左側斜面の左端部に連接して左側に向かうに従って前記中心横軸から離反する斜面に形成された第５の左側斜面と、当該第５の左側斜面の左端部に連接して左側に向かうに従って前記中心横軸に接近する斜面に形成された第６の左側斜面とによってその上面が構成され、かつ前記第３の左側斜面の左端部に連接して前記基体部における右上側面に対して平行に形成された第７の左側斜面と、前記第６の左側斜面の左端部に連接して前記基体部における右下側面に対して平行に形成された第８の左側斜面とによってその左側面が構成され、
　前記第２の突出部は、前記基体部における前記右下側面の前記突出部位に連接して前記第６の左側斜面に対して平行に形成された第１の右側斜面と、当該第１の右側斜面の右端部に連接して前記第５の左側斜面に対して平行に形成された第２の右側斜面と、当該第２の右側斜面の右端部に連接して前記第４の左側斜面に対して平行に形成された第３の右側斜面とによってその下面が構成されると共に、前記基体部における前記右上側面の前記突出部位に連接して前記第３の左側斜面に対して平行に形成された第４の右側斜面と、当該第４の右側斜面の右端部に連接して前記第２の左側斜面に対して平行に形成された第５の右側斜面と、当該第５の右側斜面の右端部に連接して前記第１の左側斜面に対して平行に形成された第６の右側斜面とによってその上面が構成され、かつ前記第３の右側斜面の右端部に連接して前記基体部における左上側面に対して平行に形成された第７の右側斜面と、前記第６の右側斜面の右端部に連接して前記基体部における左下側面に対して平行に形成された第８の右側斜面とによってその右側面が構成され、
　前記第７の左側斜面、前記第１の突出部における前記下面、前記基体部の前記左下側面、当該基体部の前記下面、当該基体部の前記右下側面、前記第２の突出部における前記下面、および前記第７の右側斜面の各々の左右方向に沿って嵌合溝が形成され、
　前記第８の左側斜面、前記第１の突出部における前記上面、前記基体部の前記左上側面、当該基体部の前記上面、当該基体部の前記右上側面、前記第２の突出部における前記上面、および前記第８の右側斜面の各々の左右方向に沿って嵌合凸部が当該各面から突出して形成され、
　当該ブロックにおける前記基体部の前記上面に形成された前記嵌合凸部が、同等に構成された他のブロックにおける前記基体部の前記下面に形成された前記嵌合溝に嵌合可能に構成され、
　当該ブロックにおける前記第８の左側斜面、前記第１の突出部における前記上面、および前記基体部における前記左上側面に形成された前記各嵌合凸部が、同等に構成された他のブロックにおける前記基体部の前記右下側面、前記第２の突出部における前記下面、および前記第７の右側斜面に形成された前記各嵌合溝にそれぞれ嵌合可能に構成され、
　前記基体部の右上側面、前記第２の突出部における前記上面、および前記第８の右側斜面に形成された前記各嵌合凸部が、同等に構成された他のブロックにおける前記第７の左側斜面、前記第１の突出部における前記下面、および前記基体部の前記左下側面に形成された前記各嵌合溝にそれぞれ嵌合可能に構成されているブロック。
【請求項２】
　右側半体および左側半体が前記中心縦軸に対して回転対称となるように形成されている請求項１記載のブロック。
【請求項３】
　当該ブロックの右側半体または左側半体と同等形状の分岐部が表面および裏面の少なくとも一方に突出形成されている請求項１または２記載のブロック。
【請求項４】
　棒状の補強部材を挿通可能な挿通孔がその上下を貫通して形成されている請求項１から３のいずれかに記載のブロック。
【発明の詳細な説明】
【技術分野】
【０００１】
　本発明は、互いの一部同士を嵌め合わせた状態で並設して構造物を組立て可能なブロックに関するものである。
【背景技術】
【０００２】
　この種のブロックとして、国際公開第００／４３６０６号パンフレットには、ブロック（１）が開示されている。この場合、このブロックは、係合部（２，２）、嵌合凸部（３）、嵌合溝部（４）および挿入孔（５）を備え、複数積層することによって家屋等の壁面（構造物）を組立て可能に構成されている。このブロック（１）によって構造物を組み立てる際には、互いの係合部同士を嵌め合わせることによって左右に隣接するブロック同士を連結させつつ、下側に位置する他のブロックの嵌合凸部に嵌合溝部を嵌め合わせてブロック（１）を積み上げていく。これにより、雨水の浸入を防止し得る気密性の高い構造物の組立てが可能になっている。
【特許文献１】国際公開第００／４３６０６号パンフレット（第７−８頁）
【発明の開示】
【発明が解決しようとする課題】
【０００３】
　ところが、この従来のブロック（１）には、以下の問題点がある。すなわち、従来のブロック（１）では、構造物を組み立てる際に、下方向に向けて押し込むことによって係合部および嵌合溝部を他のブロックの係合部および嵌合凸部にそれぞれ嵌め合わせている。この場合、このブロックは、構造物の組立て状態において、係合部、嵌合凸部および嵌合溝部を構成する各面（例えば、係合部の側面（２１ａ）など）やブロック本体の両側面などの各面と、嵌め合わせ対象の他のブロックの各面との間に隙間が生じないように形成されている。このため、嵌め合わせの際には、これらの各面が互いに擦り合わされて大きな摩擦抵抗が生じるため、ブロック（１）を下方向に向けて強い力で押し込む必要がある。また、押し込みが困難なときには、ブロック（１）の天面を例えばハンマー等によって打撃して嵌め合わせる必要がある。したがって、嵌め合わせに労力を要するため、構造物の組立てが容易ではないという問題点が存在する。この場合、構造物の組立て状態において、各面同士にやや隙間が生じるようにブロック（１）を形成することによって嵌め合わせ作業を容易にする方法も考えられる。しかし、この方法には、気密性が低下して雨水等が侵入する可能性があるという問題点がある。
【０００４】
　本発明は、かかる問題点に鑑みてなされたものであり、気密性の高い構造物を容易に組み立て得るブロックを提供することを主目的とする。
【課題を解決するための手段】
【０００５】
　上記目的を達成すべく請求項１記載のブロックは、互いの一部同士を嵌め合わせた状態で並設することによって構造物を組立て可能なブロックであって、その中央部に位置してその上下面がそれぞれ平坦かつ互いに平行となるように形成された基体部と、当該基体部から左方向に突出する第１の突出部と、前記基体部から右方向に突出する第２の突出部とが一体化されて構成され、前記基体部は、その左下側面下端部から前記第１の突出部の突出部位までの間、およびその右下側面下端部から前記第２の突出部の突出部位までの間において上方に向かうに従って当該ブロックにおける左右方向の中心縦軸から離間する斜面にそれぞれ形成されると共に、その左上側面上端部から前記第１の突出部の突出部位までの間、およびその右上側面上端部から前記第２の突出部の突出部位までの間において下方に向かうに従って前記中心縦軸から離間する斜面にそれぞれ形成されて構成され、前記第１の突出部は、前記基体部における前記左下側面側の前記突出部位から左側に向かうに従って当該ブロックにおける上下方向の中心横軸に接近する斜面に形成された第１の左側斜面と、当該第１の左側斜面の左端部に連接して左側に向かうに従って前記中心横軸から離反する斜面に形成された第２の左側斜面と、当該第２の左側斜面の左端部に連接して左側に向かうに従って前記中心横軸に接近する斜面に形成された第３の左側斜面とによってその下面が構成されると共に、前記基体部における前記左上側面側の前記突出部位から左側に向かうに従って前記中心横軸に接近する斜面に形成された第４の左側斜面と、当該第４の左側斜面の左端部に連接して左側に向かうに従って前記中心横軸から離反する斜面に形成された第５の左側斜面と、当該第５の左側斜面の左端部に連接して左側に向かうに従って前記中心横軸に接近する斜面に形成された第６の左側斜面とによってその上面が構成され、かつ前記第３の左側斜面の左端部に連接して前記基体部における右上側面に対して平行に形成された第７の左側斜面と、前記第６の左側斜面の左端部に連接して前記基体部における右下側面に対して平行に形成された第８の左側斜面とによってその左側面が構成され、前記第２の突出部は、前記基体部における前記右下側面の前記突出部位に連接して前記第６の左側斜面に対して平行に形成された第１の右側斜面と、当該第１の右側斜面の右端部に連接して前記第５の左側斜面に対して平行に形成された第２の右側斜面と、当該第２の右側斜面の右端部に連接して前記第４の左側斜面に対して平行に形成された第３の右側斜面とによってその下面が構成されると共に、前記基体部における前記右上側面の前記突出部位に連接して前記第３の左側斜面に対して平行に形成された第４の右側斜面と、当該第４の右側斜面の右端部に連接して前記第２の左側斜面に対して平行に形成された第５の右側斜面と、当該第５の右側斜面の右端部に連接して前記第１の左側斜面に対して平行に形成された第６の右側斜面とによってその上面が構成され、かつ前記第３の右側斜面の右端部に連接して前記基体部における左上側面に対して平行に形成された第７の右側斜面と、前記第６の右側斜面の右端部に連接して前記基体部における左下側面に対して平行に形成された第８の右側斜面とによってその右側面が構成され、前記第７の左側斜面、前記第１の突出部における前記下面、前記基体部の前記左下側面、当該基体部の前記下面、当該基体部の前記右下側面、前記第２の突出部における前記下面、および前記第７の右側斜面の各々の左右方向に沿って嵌合溝が形成され、前記第８の左側斜面、前記第１の突出部における前記上面、前記基体部の前記左上側面、当該基体部の前記上面、当該基体部の前記右上側面、前記第２の突出部における前記上面、および前記第８の右側斜面の各々の左右方向に沿って嵌合凸部が当該各面から突出して形成され、当該ブロックにおける前記基体部の前記上面に形成された前記嵌合凸部が、同等に構成された他のブロックにおける前記基体部の前記下面に形成された前記嵌合溝に嵌合可能に構成され、当該ブロックにおける前記第８の左側斜面、前記第１の突出部における前記上面、および前記基体部における前記左上側面に形成された前記各嵌合凸部が、同等に構成された他のブロックにおける前記基体部の前記右下側面、前記第２の突出部における前記下面、および前記第７の右側斜面に形成された前記各嵌合溝にそれぞれ嵌合可能に構成され、前記基体部の右上側面、前記第２の突出部における前記上面、および前記第８の右側斜面に形成された前記各嵌合凸部が、同等に構成された他のブロックにおける前記第７の左側斜面、前記第１の突出部における前記下面、および前記基体部の前記左下側面に形成された前記各嵌合溝にそれぞれ嵌合可能に構成されている。
【０００６】
　また、請求項２記載のブロックは、請求項１記載のブロックにおいて、右側半体および左側半体が前記中心縦軸に対して回転対称となるように形成されている。
【０００７】
　また、請求項３記載のブロックは、請求項１または２記載のブロックにおいて、当該ブロックの右側半体または左側半体と同等形状の分岐部が表面および裏面の少なくとも一方に突出形成されている。
【０００８】
　また、請求項４記載のブロックは、請求項１から３のいずれかに記載のブロックにおいて、棒状の補強部材を挿通可能な挿通孔がその上下を貫通して形成されている。
【発明の効果】
【０００９】
　請求項１記載のブロックによれば、基体部の左下側面、右下側面、左上側面および右上側面を斜面に形成し、基体部から左方向に突出する第１の突出部の下面、上面および左側面を複数の斜面でそれぞれ構成し、基体部から右方向に突出する第２の突出部の下面、上面および右側面を複数の斜面でそれぞれ構成し、ブロックの下部側における各面に嵌合溝をそれぞれ形成し、ブロックの上部側における各面に嵌合凸部をそれぞれ形成したことにより、配置状態で互いに当接する各面同士を擦れ合わすことなくその自重でまたは小さな力で押し込むだけでブロックを他のブロックに嵌め込むことができるため、嵌め合わせ部分において気密性の高い構造物を容易に組み立てることができる。
【００１０】
　また、請求項２記載のブロックによれば、右側半体および左側半体を中心縦軸に対して回転対称となるように形成したことにより、構造物の組立てに際して、表裏を確認する作業を不要にできるため、その分、作業効率を向上することができる。
【００１１】
　さらに、請求項３記載のブロックによれば、ブロックの右側半体または左側半体と同等形状の分岐部を表面および裏面の少なくとも一方に突出形成したことにより、構造物に他の構造物を容易に連結することができる。
【００１２】
　また、請求項４記載のブロックによれば、棒状の補強部材を挿通可能な挿通孔をその上下を貫通して形成したことにより、構造物の組立てに際して、例えば、補強部材を基礎に立設し、この補強部材を挿通孔に挿通させつつブロックを並設することで、嵌め合わせ部分において高気密でかつ高強度の構造物を容易に組み立てることができる。
【発明を実施するための最良の形態】
【００１３】
　以下、図面を参照して、本発明に係るブロックの最良の形態について説明する。
【００１４】
　最初に、建設用ブロック１（本発明に係るブロックの一例）の構成について図面を参照して説明する。
【００１５】
　建設用ブロック１は、互いの一部同士を嵌め合わせた状態で並設することによって壁状の構造物を組立て可能な建設用ブロックであって、一例として、補強用の鉄筋が内部に埋設され、全体としてコンクリートで一定の厚みの板状に形成されている。この場合、建設用ブロック１は、図１に示すように、基体部１１と、基体部１１の左右に突出させた突出部２１，３１とを一体化して構成され、全体として正面視が十字形状となるように形成されている。また、建設用ブロック１は、その左右方向および厚み方向の中心に位置する中心縦軸Ｖｃ（図２参照）に対して右側半体および左側半体が回転対称となるように形成されている。基体部１１は、図２に示すように、建設用ブロック１の中央部に位置してその下面１１ａおよび上面１１ｂがそれぞれ平坦かつ互いに平行となるように形成されている。また、基体部１１は、同図に示すように、その左下側面１１ｃおよびその右下側面１１ｄが、上方に向かうに従って中心縦軸Ｖｃから離間する斜面にそれぞれ形成されている。さらに、基体部１１は、その左上側面１１ｅおよびその右上側面１１ｆが、下方に向かうに従って中心縦軸Ｖｃから離間する斜面にそれぞれ形成されている。
【００１６】
　また、基体部１１の下面１１ａ、左下側面１１ｃおよび右下側面１１ｄには、互いに連通する嵌合溝１２ａ，１２ｃ，１２ｄ（以下、区別しないときは単に「嵌合溝１２」ともいう）が各面の左右方向に沿ってそれぞれ形成されている。この場合、各嵌合溝１２ａ，１２ｃ，１２ｄは、図３に示すように、下面１１ａ、左下側面１１ｃおよび右下側面１１ｄにおける各々の厚さ方向での中央部に形成されている。また、各嵌合溝１２は、図４に示すように、その幅Ｌ２が建設用ブロック１の厚さＬ１のほぼ１／３の長さで、その深さＬ３が幅Ｌ２のほぼ２／３の長さとなる長方形の断面形状にそれぞれ形成されている。一方、図２に示すように、基体部１１の上面１１ｂ、左上側面１１ｅおよび右上側面１１ｆには、互いに連続する嵌合凸部１３ｂ，１３ｅ，１３ｆ（以下、区別しないときは単に「嵌合凸部１３」ともいう）が各面の左右方向に沿ってそれぞれ形成されている。この場合、各嵌合凸部１３ｂ，１３ｅ，１３ｆは、図５に示すように、上面１１ｂ、左上側面１１ｅおよび右上側面１１ｆの各々の厚さ方向での中央部に形成されている。また、各嵌合凸部１３は、図４に示すように、その幅Ｌ４が建設用ブロック１の厚さＬ１のほぼ１／３の長さで、その高さＬ５が幅Ｌ４のほぼ２／３の長さとなる長方形の断面形状にそれぞれ形成されている。したがって、各嵌合凸部１３は、嵌合溝１２の断面形状と同形またはほぼ同形の断面形状にそれぞれ形成されている。
【００１７】
　突出部２１は、本発明における第１の突出部に相当し、図１に示すように、基体部１１の左方向に突出するように形成されている。この場合、突出部２１は、図２に示すように、本発明における第１〜第３の左側斜面にそれぞれ相当する左斜面２１ａ〜２１ｃによってその下面が構成されている。また、突出部２１は、本発明における第４〜第６の左側斜面にそれぞれ相当する左斜面２１ｄ〜２１ｆによってその上面が構成され、本発明における第７および第８の左側斜面にそれぞれ相当する左斜面２１ｇ，２１ｈによってその左側面が構成されている。左斜面２１ａは、同図に示すように、基体部１１の左下側面１１ｃの左端部（本発明における突出部位）に連接して左側に向かうに従って建設用ブロック１における上下方向および厚み方向に中心に位置する中心横軸Ｈｃに接近する斜面に形成されている。また、左斜面２１ｂは、左斜面２１ａの左端部に連接して左側に向かうに従って中心横軸Ｈｃから離反する斜面に形成されている。この場合、左斜面２１ｂは、左斜面２１ａに対する傾きがほぼ９０度（好ましくは９０度）となるように形成されている。さらに、左斜面２１ｃは、左斜面２１ｂの左端部に連接して左側に向かうに従って中心横軸Ｈｃに接近する斜面に形成されている。この場合、左斜面２１ｃは、左斜面２１ｂに対する傾きがほぼ９０度（好ましくは９０度）となるように形成されている。つまり、左斜面２１ａ，２１ｃは互いにほぼ平行（好ましくは平行）となるように形成されている。
【００１８】
　左斜面２１ｄは、図２に示すように、基体部１１の左上側面１１ｅの左端部（本発明における突出部位）に連接して左側に向かうに従って中心横軸Ｈｃに接近する斜面に形成されている。また、左斜面２１ｅは、左斜面２１ｄの左端部に連接して左側に向かうに従って中心横軸Ｈｃから離反する斜面に形成されている。この場合、左斜面２１ｅは、左斜面２１ｄに対する傾きがほぼ９０度（好ましくは９０度）となるように形成されている。さらに、左斜面２１ｆは、左斜面２１ｅの左端部に連接して左側に向かうに従って中心横軸Ｈｃに接近する斜面に形成されている。この場合、左斜面２１ｆは、左斜面２１ｂｅ対する傾きがほぼ９０度（好ましくは９０度）となるように形成されている。つまり、左斜面２１ｄ，２１ｆは互いにほぼ平行（好ましくは平行）となるように形成されている。左斜面２１ｇは、左斜面２１ｃの左端部に連接して基体部１１の右上側面１１ｆに対して平行な斜面に形成されている。また、左斜面２１ｈは、左斜面２１ｆの左端部に連接して基体部１１の右下側面１１ｄに対して平行な斜面に形成されている。この場合、左斜面２１ｇ，２１ｈは、各々の左端部同士が互いに連結されて突出部２１の左側面を形成する。
【００１９】
　さらに、図２に示すように、突出部２１の左斜面２１ａ〜２１ｃ，２１ｇには、互いに連通する嵌合溝２２ａ〜２２ｃ，２２ｇ（以下、区別しないときは単に「嵌合溝２２」ともいう）が各面の左右方向に沿ってそれぞれ形成されている。この場合、嵌合溝２２ａは、基体部１１の嵌合溝１２ｃに連通するように形成されている。また、各嵌合溝２２ａ〜２２ｃ，２２ｇは、図３に示すように、左斜面２１ａ〜２１ｃ，２１ｇにおける各々の厚さ方向での中央部にそれぞれ形成されている。さらに、各嵌合溝２２は、基体部１１の嵌合溝１２の断面形状と同形またはほぼ同形の断面形状にそれぞれ形成されている。一方、図２に示すように、突出部２１の左斜面２１ｄ〜２１ｆ，２１ｈには、互いに連続する嵌合凸部２３ｄ〜２３ｆ，２３ｈ（以下、区別しないときは単に「嵌合凸部２３」ともいう）が各面の左右方向に沿ってそれぞれ形成されている。この場合、嵌合凸部２３ｄは基体部１１の嵌合凸部１３ｅに連続するように形成されている。また、各嵌合凸部２３ｄ〜２３ｆ，２３ｈは、図５に示すように、左斜面２１ｄ〜２１ｆ，２１ｈにおける各々の厚さ方向での中央部にそれぞれ形成されている。さらに各嵌合凸部２３は、基体部１１の嵌合凸部１３の断面形状と同形またはほぼ同形の断面形状にそれぞれ形成されている。
【００２０】
　突出部３１は、本発明における第２の突出部に相当し、図１に示すように、基体部１１の右方向に突出するように形成されている。この場合、突出部３１は、図２に示すように、本発明における第１〜第３の右側斜面にそれぞれ相当する右斜面３１ａ〜３１ｃによってその下面が構成されている。また、突出部３１は、本発明における第４〜第６の右側斜面にそれぞれ相当する右斜面３１ｄ〜３１ｆによってその上面が構成され、本発明における第７および第８の右側斜面にそれぞれ相当する右斜面３１ｇ，３１ｈによってその右側面が構成されている。右斜面３１ａは、同図に示すように、基体部１１の右下側面１１ｄの右端部（本発明における突出部位）に連接して突出部２１の左斜面２１ｆに対して平行な斜面に形成されている。また、右斜面３１ｂは、右斜面３１ａの右端部に連接して左斜面２１ｅに対して平行な斜面に形成されている。さらに、右斜面３１ｃは、右斜面３１ｂの右端部に連接して左斜面２１ｄに対して平行な斜面に形成されている。
【００２１】
　右斜面３１ｄは、基体部１１における右上側面１１ｆの右端部（本発明における突出部位）に連接して突出部２１の左斜面２１ｃと平行な斜面に形成されている。また、右斜面３１ｅは、右斜面３１ｄの右端部に連接して左斜面２１ｂと平行な斜面に形成されている。さらに、右斜面３１ｆは、右斜面３１ｅの右端部に連接して左斜面２１ａと平行な斜面に形成されている。つまり右斜面３１ｄ，３１ｆは、互いに平行またはほぼ平行に形成されている。また、右斜面３１ｇは、右斜面３１ｃの右端部に連接して基体部１１の左上側面１１ｅに対して平行な斜面に形成されている。さらに、右斜面３１ｈは、右斜面３１ｆの右端部に連接して基体部１１の左下側面１１ｃに対して平行な斜面に形成されている。この場合、右斜面３１ｇ，３１ｈは、各々の左端部同士が互いに連結されて突出部３１の右側面を形成する。
【００２２】
　また、図２に示すように、突出部３１の右斜面３１ａ〜３１ｃ，３１ｇには、互いに連通する嵌合溝３２ａ〜３２ｃ，３２ｇ（以下、区別しないときは単に「嵌合溝３２」ともいう）が各面の左右方向に沿ってそれぞれ形成されている。この場合、嵌合溝３２ａは、基体部１１の嵌合溝１２ｄに連通するように形成されている。また、各嵌合溝３２ａ〜３２ｃ，３２ｇは、図３に示すように、右斜面３１ａ〜３１ｃ，３１ｇにおける各々の厚さ方向での中央部にそれぞれ形成されている。さらに、各嵌合溝３２は、嵌合溝１２の断面形状と同形またはほぼ同形の断面形状にそれぞれ形成されている。一方、図２に示すように、突出部３１の右斜面３１ｄ〜３１ｆ，３１ｈには、互いに連続する嵌合凸部３３ｄ〜３３ｆ，３３ｈ（以下、区別しないときは単に「嵌合凸部３３」ともいう）が各面の左右方向に沿ってそれぞれ形成されている。この場合、嵌合凸部３３ｄは、基体部１１の嵌合凸部１３ｆに連続するように形成されている。また、各嵌合凸部３３ｄ〜３３ｆ，３３ｈは、図５に示すように、右斜面３１ｄ〜３１ｆ，３１ｈにおける各々の厚さ方向での中央部にそれぞれ形成されている。さらに各嵌合凸部３３は、嵌合凸部１３の断面形状と同形またはほぼ同形の断面形状にそれぞれ形成されている。
【００２３】
　この建設用ブロック１，１・・によって構造物を組み立てた状態では、嵌合溝１２ａと下側に位置する他の建設用ブロック１の嵌合凸部１３ｂとが嵌合し、嵌合凸部１３ｂと上側に位置する他の建設用ブロック１の嵌合溝１２ａとが嵌合する。また、嵌合溝１２ｃおよび各嵌合溝２２と、左下側に位置する他の建設用ブロック１における各嵌合凸部３３および嵌合凸部１３ｆとがそれぞれ嵌合し、嵌合溝１２ｄおよび各嵌合溝３２と、右下側に位置する他の建設用ブロック１における各嵌合凸部２３および嵌合凸部１３ｅとがそれぞれ嵌合する。さらに、各嵌合凸部２３および嵌合凸部１３ｅと、左上側に位置する他の建設用ブロック１における嵌合溝１２ｄおよび各嵌合溝３２とがそれぞれ嵌合し、各嵌合凸部３３および嵌合凸部１３ｆと、右上側に位置する他の建設用ブロック１における嵌合溝１２ｃおよび各嵌合溝２２とがそれぞれ嵌合する。また、嵌合溝または嵌合凸部が形成された各面と、隣接する他の建設用ブロック１，１・・における嵌合溝または嵌合凸部が形成された各面とがそれぞれ密着する。これにより、組立て状態の構造物において（特に嵌合溝と嵌合凸部との嵌め合わせ部分において）高い気密性が確保される。
【００２４】
　次に、建設用ブロック１を用いて、例えば壁状の構造物を組み立てる組立て方法について、図面を参照して説明する。
【００２５】
　まず、図６に示すように、複数の基礎用ブロック２，２・・と、基礎用ブロック３，３・・とを交互に並設する。この場合、基礎用ブロック２は、上部側が建設用ブロック１における上部側の半体と同一またはほぼ同一に形成され、下部側の基体部が例えば直方体状に形成されている。また、基礎用ブロック３は、建設用ブロック１の嵌合凸部１３ｂにおける左右方向の長さと同じ幅で直方体状に形成された基体部の上面に嵌合凸部１３ｂと同等形状の嵌合凸部が形成されて構成されている。この基礎用ブロック２および基礎用ブロック３の並設に際しては、基礎用ブロック２と基礎用ブロック３とを交互に配置して、それぞれの基体部を地中に埋設したりボルト等によってコンクリート基礎などに連結することによって固定する。したがって、現場での基礎の形成が不要のため、構造物の組立てを直ちに開始することができる。次に、同図に示すように、建設用ブロック１（一例として、同図に示す建設用ブロック１Ａ）を上方から下方に向けて移動させて隣り合う２つの基礎用ブロック２（一例として、同図に示す基礎用ブロック２Ａおよび基礎用ブロック２Ｂ）の間（同図に示す基礎用ブロック３Ａの上側）に配置する。
【００２６】
　具体的には、建設用ブロック１Ａの嵌合溝２２ｇ，２２ｃ，２２ｂ，２２ａ，１２ｃを基礎用ブロック２Ａの嵌合凸部１３ｆ，３３ｄ〜３３ｆ，３３ｈにそれぞれ嵌め合わせると共に、建設用ブロック１Ａの嵌合溝１２ａを基礎用ブロック３Ａの嵌合凸部に嵌め合わせる。同時に、建設用ブロック１Ａの嵌合溝１２ｄ，３２ａ〜３２ｃ，３２ｇを基礎用ブロック２Ｂの嵌合凸部２３ｈ，２３ｆ，２３ｅ，２３ｄ，１３ｅにそれぞれ嵌め合わせる。この際に、建設用ブロック１Ａを下方向に移動させるに従い、建設用ブロック１Ａの左斜面２１ｇ，２１ｃ，２１ｂ，２１ａおよび左下側面１１ｃが基礎用ブロック２Ａの右上側面１１ｆおよび右斜面３１ｄ，３１ｅ，３１ｆ，３１ｈにそれぞれ接近すると共に、建設用ブロック１Ａの下面１１ａが基礎用ブロック３Ａの基体部の上面に接近する。同時に、建設用ブロック１Ａの右下側面１１ｄおよび右斜面３１ａ，３１ｂ，３１ｃ，３１ｇが基礎用ブロック２Ｂの左斜面２１ｈ，２１ｆ，２１ｅ，２１ｄおよび左上側面１１ｅにそれぞれ接近し、最終的には、各面同士が互いに当接する。この場合、各面がそれぞれ斜面に形成されているため、下方向への移動の際に擦れ合わない結果、その自重でまたは小さな力で押し込むだけで建設用ブロック１Ａが配置される。
【００２７】
　また、建設用ブロック１Ａが配置された状態では、建設用ブロック１Ａの各面に当接する基礎用ブロック２Ａ，２Ｂ，３Ａの各面が建設用ブロック１Ａを支えるため、建設用ブロック１Ａの下方向への移動が阻止される。また、建設用ブロック１Ａが左方向に移動しようとする際には、基礎用ブロック２Ａの右斜面３１ｈ、右上側面１１ｆ、および基礎用ブロック２Ｂの左斜面２１ｅが、建設用ブロック１Ａの左下側面１１ｃ、左斜面２１ｇおよび右斜面３１ｂにそれぞれ当接するため、建設用ブロック１Ａの左方向への移動が阻止される。さらに、建設用ブロック１Ａが右方向に移動しようとする際には、建設用ブロック１Ａの右下側面１１ｄ、右斜面３１ｇ、および左斜面２１ｂが、基礎用ブロック２Ｂの左斜面２１ｈ、左上側面１１ｅ、および基礎用ブロック２Ａの右斜面３１ｅにそれぞれ当接するため、建設用ブロック１Ａの右方向への移動が阻止される。また、建設用ブロック１Ａが厚み方向に移動しようとする際には、建設用ブロック１Ａの各嵌合溝を形成する各面が基礎用ブロック２Ａ，２Ｂ，３Ａの各嵌合凸部を形成する各面にそれぞれ当接するため、建設用ブロック１Ａの厚み方向への移動が阻止される。これにより、建設用ブロック１Ａは下、左右および厚みの方向に移動することなく基礎用ブロック２Ａ，２Ｂ，３Ａに嵌め込まれる。加えて、各嵌合溝の断面形状と各嵌合凸部の断面形状とが同形またはほぼ同形にそれぞれ形成されているため、各嵌合溝を形成する各面と、各嵌合凸部を構成する各面とが互いに密着する。したがって、建設用ブロック１Ａおよび基礎用ブロック２Ａ，２Ｂ，３Ａのそれぞれの嵌合部位において高い気密性が確保される結果、建設用ブロック１の表面から裏面への（または裏面から表面への）雨水の侵入を防止することができる。
【００２８】
　続いて、基礎用ブロック２Ｂと隣接する図外の他の基礎用ブロック２との間にに他の建設用ブロック１を配置する。以下同様にして、建設用ブロック１，１・・・を基礎用ブロック２，２・・・同士の間に配置して１段目を並設する。この場合、建設用ブロック１の右側半体および左側半体がその中心縦軸Ｖｃに対して回転対称となるように形成されているため、表裏の区別なく使用することができる結果、建設用ブロック１を効率的に並設することができる。次に、図６に示すように、１段目の建設用ブロック１，１・・・の上方から建設用ブロック１，１・・・を配置して２段目を並設する。以下同様にして、所定の高さまで３段目、４段目・・・を並設する。これにより、建設用ブロック１によって構造物が組み立てられる。この場合、上記したように、その自重でまたは小さな力で押し込むだけで各建設用ブロック１が配置されるため、気密性の高い構造物が容易に組み立てられる。なお、構造物の端部に位置する建設用ブロック１については、建設用ブロック１の右半体または左半体で構成された建設用ブロックを使用し、最上部に位置する建設用ブロック１については、建設用ブロック１の下側半体で構成された建設用ブロックを使用する。
【００２９】
　このように、この建設用ブロック１によれば、基体部１１の左下側面１１ｃ、右下側面１１ｄ、左上側面１１ｅおよび右上側面１１ｆを斜面にそれぞれ形成し、左斜面２１ａ〜２１ｃによって突出部２１の下面を構成する共に、左斜面２１ｄ〜２１ｆによって突出部２１の上面を構成し、かつ左斜面２１ｇ，２１ｈによって突出部２１の側面を構成し、右斜面３１ａ〜３１ｃによって突出部３１の下面を構成する共に、右斜面３１ｄ〜３１ｆによって突出部３１の上面を構成し、かつ右斜面３１ｇ，３１ｈによって突出部２１の側面を構成し、左斜面２１ａ〜２１ｃ，２１ｇ、左下側面１１ｃ、下面１１ａ、右下側面１１ｄ、および右斜面３１ａ〜３１ｃ，３１ｇに嵌合溝２２，１２，３２をそれぞれ形成すると共に、左斜面２１ｄ〜２１ｆ，２１ｈ、左上側面１１ｅ、上面１１ｂ、右上側面１１ｆ、および右斜面３１ｄ〜３１ｆ，３１ｈに嵌合凸部２３，１３，３３をそれぞれ形成したことにより、各面同士を擦れ合わせることなく、その自重でまたは小さな力で押し込むだけで建設用ブロック１を他の建設用ブロック１に嵌め込むことができるため、嵌合溝２２，１２，３２と嵌合凸部２３，１３，３３との嵌め合わせ部分において気密性の高い構造物を容易に組み立てることができる。また、建設用ブロック１の右側半体および左側半体が中心縦軸に対して回転対称となるように形成したことにより、構造物の組立てに際して表裏を区別することなく使用することができるため、表裏を確認する作業を不要にできる結果、その分、作業効率を向上させることができる。
【００３０】
　なお、本発明は、上記の構成に限定されない。例えば、図７に示すように、建設用ブロック１と同等形状の本体部における表裏いずれかの一面６２の中央部に建設用ブロック１の右側半体（または左側半体）と同形状またはほぼ同形状の分岐部６１を直角に突出させて一体形成した建設用ブロック４（本発明に係るブロックの他の形態）を構成することもできる。この建設用ブロック４を使用することにより、一の構造物に直交する方向に他の構造物を連結することができる。この場合、建設用ブロック４を使用して構造物に他の構造物を連結する際には、まず、他の構造物を連結する位置で建設用ブロック１に代えて建設用ブロック４を使用する。次に、建設用ブロック４における分岐部６１の突出端側に建設用ブロック１を連結する。この建設用ブロック４によれば、一面６２に分岐部６１を形成して構成したことにより、構造物に他の構造物を容易に連結することができる。この場合、分岐部６１に加えて、他の一面に他の分岐部を突設することにより、一の構造物の表裏に他の構造物を連結可能な平面形状が十字状の建設用ブロックを構成することもできる。
【００３１】
　また、図８に示すように、構造物を補強するための例えば鉄筋（本発明における補強部材に相当する。図９参照）１０１を挿通可能な挿通孔７２，７２を基体部７１の上下を貫通するようにして形成した建設用ブロック５（本発明に係るブロックのさらに他の形態）を採用することもできる。この建設用ブロック５を用いて壁状の構造物を組み立てる際には、図９に示すように、基礎用ブロック２，３に鉄筋１０１，１０１・・を立設して、この鉄筋１０１を挿通孔７２に挿通させつつ建設用ブロック５を並設する。これにより、高気密かつ高強度の構造物を容易に組み立てることができる。なお、挿通孔７２，７２に代えて、鉄筋１０１を上下方向において挿通可能な一対のパイプを建設用ブロック１の壁面に並設することもできる。
【００３２】
　また、各嵌合溝１２，２２，３２および各嵌合凸部１３，２３，３３をその断面形状が長方形になるように形成した構成例について上記したが、各嵌合溝１２，２２，３２を例えば、台形、三角形、半円形および半楕円形などの任意の断面形状に形成し、各嵌合凸部１３，２３，３３を各嵌合溝１２，２２，３２と相補的形状の台形、三角形、半円形および半楕円形などの任意の断面形状に形成することもできる。さらに、中心縦軸Ｖｃに対して右側半体および左側半体が回転対称となるように形成した構成例について上記したが、両半体を非対称に形成することもでき、この構成であっても建設用ブロック１と同様にして気密性の高い構造物を容易に組み立てることができる。
【００３３】
　さらに、建設用ブロック１の上下を逆にして配置することによって構造物を組み立てることもでき、この組立て方法であっても気密性の高い構造物を容易に組み立てることができる。この場合、基礎用ブロック２における嵌合凸部に代えて嵌合溝を形成した基礎用ブロックを用いる。
【００３４】
　また、建設用ブロック１を用いて組立て可能な構造物には、土留め用の擁壁、大形建築物の外壁、およびエクステリア（塀、門扉および門柱等を含む）などの各種の構造物が含まれる。また、鉄筋およびコンクリートで建設用ブロック１を構成した例について上記したが、本発明はこれに限定されず、金属（例えば鉄、アルミニウム、銅およびステンレス鋼など）、ガラス（グラスウールも含む）、紙、石、プラスチック（発泡プラスチックも含む）、セラミックス、木材（チップ材も含む）、布、土、草木（藁および竹も含む）などの各種の材料でブロックを構成することもできる。さらに、このうちの複数種類の材料を用いて１つのブロックを構成することもできるし、このうちの複数種類の材料を混合した材料で１つのブロックを構成することもできる。この場合、これらの材料で構成したブロックを用いて、住宅の外壁、内壁、屋根および床や、屋外用または屋内用のステージ（仮設ステージも含む）などを組み立てることができる。また、これらの材料で構成したブロックを用いて、模型（建築物の模型を含む）や玩具（ブロック玩具）などの構造物を構成することもできる。
【図面の簡単な説明】
【００３５】
【図１】建設用ブロック１の斜視図である。
【図２】建設用ブロック１の正面図である。
【図３】建設用ブロック１の底面図である。
【図４】建設用ブロック１を図２におけるＡ−Ａ線で切断した断面図である。
【図５】建設用ブロック１の平面図である。
【図６】建設用ブロック１によって組み立てられた構造物の正面図である。
【図７】建設用ブロック４の斜視図である。
【図８】建設用ブロック５の正面図である。
【図９】建設用ブロック５によって組み立てられた構造物の正面図である。
【符号の説明】
【００３６】
　　　　１，４，５　建設用ブロック
　　　１１，７１　基体部
　　１１ａ　下面
　　１１ｂ　上面
　　１１ｃ　左下側面
　　１１ｄ　右下側面
　　１１ｅ　左上側面
　　１１ｆ　右上側面
　　１２ａ，１２ｃ，１２ｄ　嵌合溝
　　２２ａ〜２２ｃ，２２ｇ　嵌合溝
　　３２ａ〜３２ｃ，３２ｇ　嵌合溝
　　１３ｂ，１３ｅ，１３ｆ　嵌合凸部
　　２３ｄ〜２３ｆ，２３ｈ　嵌合凸部
　　３３ｄ〜３３ｆ，３３ｈ　嵌合凸部
　　　２１，３１　突出部
　　２１ａ〜２１ｄ，２１ｅ〜２１ｈ　左斜面
　　３１ａ〜３１ｄ，３１ｅ〜３１ｈ　右斜面
　　　６１　分岐部
　　　６２　一面
　　　７２　挿通孔
　　　Ｖｃ　中心縦軸
　　　Ｈｃ　中心横軸
【図１】
2004143923.tif 000003
【図２】
2004143923.tif 000004
【図３】
2004143923.tif 000005
【図４】
2004143923.tif 000006
【図５】
2004143923.tif 000007
【図６】
2004143923.tif 000008
【図７】
2004143923.tif 000009
【図８】
2004143923.tif 000010
【図９】
2004143923.tif 000011